(57)【要約】      （修正有）【課題】シートカバーの性能を更に向上させる。【解決手段】乗物用シートの着座面をなす織物又は編物製のシートカバー４Ｓ，６Ｓを、複数又は単数の面状のピースＰ１〜Ｐ６から構成し、少なくとも一つの前記ピースが、第一部位１０ａと、第一部位１０ａに隣接配置する第二部位２０ａ，２０ｂとを有し、第二部位２０ａ，２０ｂが、基本着座状態の乗員ＣＭが動くことで次第に強く押圧される部位又は非着座状態の乗員ＣＭが動きながら当接することで次第に強く押圧される部位であるとともに、第一部位１０ａよりも伸縮しやくする。【選択図】図１
2015002830.tif 000002
【特許請求の範囲】
【請求項１】
シート着座面をなす織物又は編物製のシートカバーを有するとともに、前記シートカバーが、複数又は単数の面状のピースからなる乗物用シートにおいて、
少なくとも一つの前記ピースが、第一部位と、前記第一部位に隣接配置する第二部位とを有し、
前記第二部位が、前記基本着座状態の前記乗員が動くことで次第に強く押圧される部位又は非着座状態の前記乗員が動きながら当接することで次第に強く押圧される部位であるとともに、前記第一部位よりも伸縮しやすい乗物用シート。
【発明の詳細な説明】
【技術分野】
【０００１】
本発明は、シート着座面をなすシートカバー（複数又は単数のピースからなる面材）を備えた乗物用シートに関する。
【背景技術】
【０００２】
この種の乗物用シートとして、特許文献１に開示の乗物用シートが公知である。この乗物用シートは、シート外形をなすシートパッド（例えばポリウレタンフォーム製）と、シートパッドを被覆するシートカバーを有する。シートパッドは、シート中央（天板メイン部）が平坦であるとともに、シート側部（天板サイド部）が着座側に向けて凸状である。
そしてシートカバーは、一枚物の面材（一様な伸縮性を有する面材）であり、一対のゴムバンドを備える。一対のゴムバンドは、それぞれシート前後方向に延びる帯体であり、シートカバー（裏面）の両側に配設される。
公知技術では、シートパッドにシートカバーを被せつつ、一対のゴムバンドを、それぞれ天板メイン部と天板サイド部の間に配置する。そして各ゴムバンドを引き締めつつ、その両端をシートパッドに取付けることで、シートパッド表面（天板メイン部と天板サイド部の形状）に沿ってシートカバーを配置することができる。
【先行技術文献】
【特許文献】
【０００３】
【特許文献１】特開２００９-１１８９９３号公報
【発明の概要】
【発明が解決しようとする課題】
【０００４】
ところで公知技術では、例えばカーブ走行時に、乗員が、シート側部に移動しつつ天板メイン部と天板サイド部の間に押付けられることがある。このとき乗員を、シートカバーを部分的に伸長させつつ、天板メイン部と天板サイド部の間に沈み込ませることが望ましい。
しかし上述のシート構成では、シートカバーが一枚物の面材（一様な伸縮性を有する面材）であり、その伸縮性は、専ら天板メイン部の着座性を考慮して設定される。このためシートカバーの伸長が不十分の場合には、シートカバーが突っ張るなどして、天板メイン部と天板サイド部の間に乗員が十分に沈み込まないおそれがあった（ホールド性にやや欠ける構成であった）。
もっともシートカバー全体を一様に伸縮しやすくすることもできるが、そうするとシートカバーの着座性（支持性能等）が悪化しがちである。
本発明は上述の点に鑑みて創案されたものであり、本発明が解決しようとする課題は、シートカバーの性能を更に向上させることにある。
【課題を解決するための手段】
【０００５】
上記課題を解決するための手段として、第１発明の乗物用シートは、シート着座面をなす織物又は編物製のシートカバーを有するとともに、シートカバーが、複数又は単数の面状のピースからなる。そして少なくとも一つのピースが、第一部位と、第一部位に隣接配置する第二部位とを有するのであるが、この種のシート構成では、例えば各部位の伸長性に差を設けるなどして、シートカバーの性能を更に向上できることが望ましい。
そして本発明では、第二部位が、基本着座状態の乗員が動くことで次第に強く押圧される部位又は非着座状態の乗員が動きながら当接することで次第に強く押圧される部位（いずれも第一部位よりも伸長させたい部位）である。そこで本発明では、第二部位を、第一部位よりも伸縮しやすくすることとした（例えば第二部位の織編組織における構成糸の交錯点を、第一部位の織編組織における構成糸の交錯点よりも疎に配置して伸縮しやすくした）。
本発明では、第一部位（伸長しにくい部位）と第二部位（伸長しやすい部位）を一つのピースの中に設けることで、シートカバーの性能を更に向上させることができる。
【発明の効果】
【０００６】
本発明に係る第１発明によれば、シートカバーの性能を更に向上させることができる。
【図面の簡単な説明】
【０００７】
【図１】乗物用シートの正面図である。
【図２】乗物用シート一部の斜視図である。
【図３】図２のＩＩＩ−ＩＩＩ線断面に相当する概略断面図である。
【図４】シートカバー一部の組織図である。
【図５】変形例にかかるシートカバー一部の組織図である。
【図６】変形例にかかる乗物用シートの概略正面図である。
【発明を実施するための形態】
【０００８】
以下、本発明を実施するための形態を、図１〜図６を参照して説明する。各図には、適宜、乗物用シート前方に符号Ｆ、乗物用シート後方に符号Ｂ、乗物用シート上方に符号ＵＰ、乗物用シート下方に符号ＤＷを付す。なお図１及び図２では、便宜上、第一部位と第二部位を破線で区分けするとともに、シートバックの天板メイン部と天板サイド部を、一点破線で区分けする。
図１の乗物用シート２は、シートクッション４と、シートクッション４に起倒可能に連結するシートバック６（ヘッドレスト８）を有する。
これらシート構成部材は、各々、シート骨格をなすシートフレーム（４Ｆ，６Ｆ）と、シート外形をなして乗員を弾性的に支持するシートパッド（４Ｐ，６Ｐ）と、シートパッドを被覆するシートカバー（４Ｓ，６Ｓ）を有する。ここでシートバック６のシートフレーム６Ｆ（図示省略）は略アーチ状の枠体であり、シートバック起立状態を基準として、上部中央が上方に突出変形してヘッドレスト８の骨格を構成する。
【０００９】
＜実施例１＞
本実施例のシートバック６は、上記構成（６Ｆ，６Ｐ，６Ｓ）と、着座側をなす複数の部位（天板メイン部６ａ，一対の天板サイド部６ｂ）を有する（図１及び図２を参照）。
ここで天板メイン部６ａは、シートバック６の中央部位（図１の一点破線で区分けされた中央部分を参照）であり、シートバック起立時を基準としてシート上下に延びる。
また各天板サイド部６ｂは、それぞれ天板メイン部６ａ両側に配置する部位であり、シートバック起立時を基準としてシート上下に延びる。本実施例の各天板サイド部６ｂは、それぞれ天板メイン部６ａよりも着座側に突出しており、カーブ走行時等に乗員側部を支持できる（図２を参照）。
そして本実施例では、例えば成人男性である乗員ＣＭが、乗物停止時に着座した状態を想定する（図１を参照）。このとき基本着座位置の乗員ＣＭ（図１の状態）がシートバック６にもたれることで、天板メイン部６ａに乗員胴体部（肩部を除く背部から腰部にかけての部分）が当接する。また同状態で、各天板サイド部６ｂが、乗員胴体部の側方に配置しつつ、乗員肩部に対面配置する。
なお天板メイン部６ａの幅寸法（シート幅方向の寸法）は、例えば乗員背部の幅寸法に倣って設定できる。また天板メイン部６ａの幅寸法を１００とした場合に、各天板サイド部６ｂの幅寸法を、それぞれ独立に２０〜４０の範囲に設定できる。
【００１０】
そして本実施例では、シートフレーム６Ｆ上にシートパッド６Ｐ（発泡樹脂製）を適宜配置したのち、これらをシートカバー６Ｓで被覆して、シートバック６（ヘッドレスト８）を形成する。
ここでシートカバー６Ｓは、着座面をなす面材（編物又は織物製）であり、複数又は単数のピース（第一ピースＰ１等）を袋状とすることで形成される。そして本実施例では、シートカバー６Ｓの着座側が、一つのピース（第一ピースＰ１）で形成されており、天板メイン部６ａと天板サイド部６ｂに跨って配置する。
そしてこの種のシート構成では、例えばカーブ走行時などに、乗員が、シート側部に移動しつつ天板メイン部６ａと天板サイド部６ｂの間に押付けられることがある（図３を参照）。このとき乗員を、シートカバー６Ｓの一部（乗員が押付けられる部分）を適度に伸長させるなどして、天板メイン部６ａと天板サイド部６ｂの間に沈み込ませることが望ましい。
そこで本実施例では、第一ピースＰ１中に、後述の部位（第一部位１０ａと、一対の第二部位２０ａ，２０ｂ）を形成することにより、シートカバー６Ｓの性能を更に向上させることとした。以下、各構成について詳述する。
【００１１】
［第一部位］
第一部位１０ａは、後述の第二部位２０ａ，２０ｂを除くシートカバー部分に形成される部位である（図１及び図２の破線で区分けされた中央部分等を参照）。
本実施例の第一部位１０ａは、天板メイン部６ａと天板サイド部６ｂの双方に形成できる。天板メイン部６ａの第一部位１０ａは、起立状態のシートバック６（中央）の上部から下部にかけて形成されており、乗員背部から乗員腰部にかけての身体範囲に対面（当接）可能である。そして天板メイン部６ａの第一部位１０ａは、上部側がやや幅狭とされており、下部側に向かうにつれて次第に幅広とされる。
また天板サイド部６ｂの第一部位１０ａは、同部に沿ってシート上下に延びており、シートバック６下部側で天板メイン部６ａの第一部位１０ａにつながる。
【００１２】
［第二部位］
第二部位２０ａ，２０ｂは、第一部位１０ａに隣接配置する部位であり、基本着座状態の乗員ＣＭが動くことで次第に強く押圧される。
本実施例の各第二部位２０ａ，２０ｂは、シートバック６上部側に形成されて、天板メイン部６ａと天板サイド部６ｂに跨って配置する。そして各第二部位２０ａ，２０ｂは、それぞれ上部から下部側に向かうにつれて次第に幅狭に形成されつつ、天板メイン部６ａの第一部位１０ａと天板サイド部６ｂの第一部位１０ａの間に配置する。
各第二部位２０ａ，２０ｂの上部側はやや幅広であり、シート幅方向で見て天板メイン部６ａと天板サイド部６ｂの双方に大きくはみ出して形成される。また各第二部位２０ａ，２０ｂの下部側はやや幅狭であり、やや天板サイド部６ｂ寄りに形成される。
そして本実施例では、後述するように乗員ＣＭが横Ｇ（遠心力）を受けてシート側方に移動する（基本着座状態の乗員が動く）ことで、第二部位２０ａ，２０ｂが次第に強く押圧されることとなる。
【００１３】
［シートカバーの形成］
本実施例では、第一糸材Ｙ１と第二糸材Ｙ２を構成糸として、第一ピースＰ１としての編物を形成する（図４では、便宜上、一部の糸材にのみ符号を付す）。
なお第一ピースＰ１は、経編又は緯編のいずれであってもよい。ここで第一ピースＰ１（緯編）の編み方として、基本組織（平編，ゴム編，パール編）やその変化組織を例示できる。また第一ピースＰ１（経編）の編み方として、基本組織（デンビー編，コード編，アトラス編，鎖編）やその変化組織を例示できる。
そして第一糸材Ｙ１は、伸縮性に優れる糸材であり、各種の弾性糸を使用できる。ここで第一糸材Ｙ１は、初期引張抵抗度４．９ＧＰａ以上（典型的に４．９ＧＰａ〜６００ＧＰａ）の糸材であることが好ましく、同抵抗度５４ＧＰａ〜２８０ＧＰａの糸材であることが更に好ましい。なお初期引張抵抗度は、「ＪＩＳ Ｌ １０１３ ８．１０」に基づいて測定できる。この種の弾性糸（材質）として、天然ゴム系の天然繊維、パラ系アラミド繊維、メタ系アラミド繊維、ポリアリレート繊維、ポリパラフェニレンベンゾビスオキシサゾール繊維、ポリフェニレンサルファイド繊維、ポリエーテルエーテルケトン繊維、ポリイミド繊維を例示でき、これらを単独又は二種以上併せて用いることができる。
また第二糸材Ｙ２は、第一糸材Ｙ１よりも伸縮しにくい糸であり、材質として、動物系又は植物系の天然繊維、熱可塑性樹脂又は熱硬化性樹脂からなる化学繊維を例示できる。
【００１４】
そして本実施例では、各部位１０ａ，２０ａ（２０ｂ）の編組織を異ならせつつ、第一糸材Ｙ１と第二糸材Ｙ２の交錯点（編組織の単位面積当たりの交錯点）の形成数を調節する（図４を参照）。こうして編組織中の交錯点数に差を設けることにより、第一部位１０ａと、第二部位２０ａ，２０ｂの伸長性を異ならせることとした。
例えば本実施例では、第一部位１０ａを、パール編（緯編の一例）で形成することにより、第一糸材Ｙ１と第二糸材Ｙ２の交錯点を比較的多く形成する（交錯点を密に配置する）。そして多数の交錯点にて、個々の構成糸（特に第一糸材Ｙ１）の伸長を交錯点で規制することにより、第一部位１０ａの伸長を抑えることができる。
また第二部位２０ａ，２０ｂを、タック編にて形成しつつ一部にかぶり目（第一糸材Ｙ１の不完全ループ）を形成して、第一糸材Ｙ１と第二糸材Ｙ２の交錯点を比較的少なく形成する（交錯点を疎に配置する）。こうして個々の構成糸（特に第一糸材Ｙ１）の伸長を許容することにより、第二部位２０ａ，２０ｂを、第一部位１０ａに比して伸長しやすくすることができる。
【００１５】
ここで第一部位１０ａと第二部位２０ａ，２０ｂの伸縮性は、例えば５％モジュラス試験法で測定できる（特開２０１１−７４５３８号公報を参照）。
そして第一部位１０ａの円形モジュラスを１００Ｎ以下に設定することができ、好ましくはタテ７０Ｎ以下、ヨコ７０Ｎ以下に設定する。また第二部位２０ａ，２０ｂの円形モジュラスを、例えばタテ６Ｎ以下、ヨコ６Ｎ以下に設定できる。
【００１６】
［シートバックの形成］
図１及び図２を参照して、シートカバー６Ｓの被覆作業と同時に、第一部位１０ａと、第二部位２０ａ，２０ｂを適切な位置に配置する。
そして基本着座位置の乗員ＣＭがシートバック６の着座側（第一ピースＰ１）にもたれることにより、乗員背部から乗員腰部にかけての身体範囲が天板メイン部６ａを強く押圧する。このとき天板メイン部６ａの中央部分（第一部位１０ａ）が比較的伸長しにくく支持性能（剛性等）に優れることから、着座性に優れるシート構成となる。
また図３を参照して、カーブ走行時などに、乗員ＣＭが横Ｇ（遠心力）を受けるなどしてシート側方に向けて移動する。このとき本実施例では、第二部位２０ａ，２０ｂ（伸長しやすい部位）が、天板メイン部６ａと天板サイド部６ｂの間に配置して、乗員ＣＭの移動に伴って次第に強く押圧されて伸長する。このため乗員を、第二部位２０ａ，２０ｂを伸長させつつ、天板メイン部６ａと天板サイド部６ｂの間に沈み込ませることができる（ホールド性に優れるシート構成である）。
以上説明したとおり本実施例では、第一部位１０ａ（伸長しにくい部位）と、第二部位２０ａ，２０ｂ（伸長しやすい部位）を第一ピースＰ１の中に設けることで、シートカバー６Ｓの性能を更に向上させることができる。
【００１７】
［変形例］
ここで第一部位と第二部位は、上記作成方法のほか、各種の作成方法にて形成できる。
例えば第一部位の編み密度（構成糸の配置本数）と、第二部位の編み密度を異ならせることで、両部位の伸縮性に差を設けることができる。例えば第一部位を、コース数３０〜１００／２．５４ｃｍ、ウェール数３０〜１００／２．５４ｃｍの編み密度で編成する（比較的交錯点を多く形成する）。そして第二部位を、第一部位と同一編組織としつつ、第一部位に比して低い編み密度で編成する（比較的交錯点を少なく形成する）ことにより、第一部位に比して伸びやすくすることができる。
また第二部位中の第一糸材の配置本数を、第一部位に比して多くすることにより、第二部位を、第一部位に比して伸びやすくすることもできる。
【００１８】
またシートカバーは、編物のほか織物にて形成することができる。
例えば本変形例では、第一糸材Ｙ１と第二糸材Ｙ２を構成糸として、第一ピースＰ１としての織物（布帛の一例）を形成する（図５では、便宜上、一部の糸材にのみ符号を付す）。なお織物の組織として、基本組織（平織，斜文織，朱子織）やその変化組織を例示できる。
そして本変形例では、各部位１０ａ，２０ａ（２０ｂ）の織り方を異ならせて、シートカバー６Ｓを着座側から見た際の第一糸材Ｙ１と第二糸材Ｙ２の交錯点の形成数を調節する。こうして織組織中の交錯点数に差を設けることにより、各部位（１０ａ，２０ａ，２０ｂ）の伸長性を異ならせる。
例えば本変形例では、第一部位１０ａを平織で構成することで、シートカバー６Ｓを着座側から見た際の両構成糸Ｙ１，Ｙ２の交錯点を比較的多く形成する（交錯点を密に配置する）。こうして個々の構成糸（特に第一糸材Ｙ１）の伸長を規制することにより、第一部位１０ａの伸長を抑えることができる。
また第二部位２０ａ，２０ｂを斜文組織（３枚斜文組織）にて構成することで、シートカバー６Ｓを着座側から見た際の両構成糸Ｙ１，Ｙ２の交錯点を比較的少なく形成する（交錯点を疎に配置する）。そして多数の交錯点にて、個々の構成糸（特に第一糸材Ｙ１）の伸長を許容することにより、第二部位２０ａ，２０ｂを、第一部位１０ａに比して伸長しやすくすることができる。
なお織物の場合においても、第一部位の織り密度（単位長さ当たりの糸打ち込み本数）と、第二部位の織り密度を異ならせることで、両部位の伸縮性に差を設けることができる。また第二部位中の第一糸材の配置本数を、第一部位に比して多くすることにより、第二部位を、第一部位に比して伸びやすくすることもできる。
【００１９】
また第二部位の形成位置は、シート構成に応じて適宜変更（増減）可能である。
例えば本変形例では、第二部位２０ａ，２０ｂのほかに、第二部位２０ｃ，２０ｄを、天板サイド部６ｂの側面（かまち部）にそれぞれ形成する（図６を参照）。これら第二部位２０ｃ，２０ｄは、例えば乗降動作時又は室内移動時の乗員が当接することで次第に強く押圧される（非着座状態の乗員が動きながら当接することで次第に強く押圧される）部位である。そして乗員の乗降動作時において、第二部位２０ｃ，２０ｄが押圧されて柔軟に伸長（変形）することにより、乗員が、シートカバー６Ｓに極力邪魔されることなくスムーズに動くことができる。
【００２０】
＜実施例２＞
本実施例のシートクッション４は、実施例１のシートバック６とほぼ同一の基本構成を備えるため、共通の構成等は対応する符号を付すなどして詳細な説明を省略する。
本実施例では、シートクッション４が、シート中央の天板メイン部４ａと、シート側部の天板サイド部４ｂを有し、これら各部がシート前後に延びる（図１を参照）。なお天板メイン部４ａは、シート後部からシート前部に向かうにつれて次第に幅広とされる。
またシートカバー４Ｓ（袋状）が、複数のピース（第二ピースＰ２〜第六ピースＰ６）にて形成される。そして第二ピースＰ２と第三ピースＰ３と第四ピースＰ４が、天板メイン部４ａを被覆しつつ、この順でシート後部から前部に向けて並列配置する。また第五ピースＰ５と第六ピースＰ６が、それぞれ各天板サイド部４ｂを被覆する。
【００２１】
そして本実施例においても、成人男性である乗員ＣＭが、乗物停止時に着座した状態を想定する。このとき基本着座位置の乗員ＣＭがシートクッション４に腰掛けることで、乗員臀部（比較的動きの少ない乗員一部）が、専ら天板メイン部６ａの後部中央側に当接する。また乗員脚部（乗員一部よりも動きの大きい乗員他部）が、天板メイン部６ａの前部側に当接するとともに、ペダル操作などにてシート幅方向に適宜移動する。
そこで本実施例では、例えばヒップポイントＨ周りのシートカバー部分に第一部位１０ｂを形成する。このため第一部位１０ｂが、第二ピースＰ２と第三ピースＰ３の略全面と、第四ピースＰ４の後側に形成される。
また第二部位２０ｅを、略Ｕ字状（上方視）に形成して、第二部位２０ｅの側部を、天板メイン部４ａと天板サイド部４ｂの間に配置する。このとき第二部位２０ｅの側部が、第四ピースＰ４の両側に沿って形成されつつ、第三ピースＰ３側に若干はみ出す。
また第二部位２０ｅの前部を、第四ピースＰ４の前部側に形成して、シート幅方向に横断状に配置する。こうして第二部位２０ｅの前部が、天板メイン部６ａの前部側（基本着座状態の乗員が動くことで次第に強く押圧される部位）に形成されて、乗員脚部に当接可能に配置する。
【００２２】
そして本実施例では、横Ｇの作用にて、乗員ＣＭがシート側方に移動しようとする。このとき第二部位２０ｅの側部（伸長しやすい部位）が、天板メイン部４ａと天板サイド部４ｂの間に配置して、乗員ＣＭの移動に伴って次第に強く押圧される。このため乗員を、第二部位２０ｅの側部を伸長させつつ、天板メイン部４ａと天板サイド部４ｂの間に沈み込ませることができる（ホールド性に優れるシート構成である）。
また本実施例では、ペダル操作時の乗員脚部が、天板メイン部４ａの前部側でシート幅方向に移動する。このとき第二部位２０ｅの前部（伸長しやすい部位）が、天板メイン部４ａ（第四ピースＰ４）の前部側に配置して、乗員ＣＭの動きに伴って次第に強く押圧される。このため乗員脚部を、第二部位２０ｅの前部を伸長させつつ（柔軟に変形させつつ）スムーズに動かすことができる。
そして本実施例では、上述の各部位（１０ｂ，２０ｅ）の一部分を、それぞれ一つのピース内に形成できる。このため各部位（１０ｂ，２０ｅ）を、天板メイン部４ａの前後に跨って（これら各ピースの区分けとは無関係に）形成できる。
【００２３】
本実施形態の乗物用シートは、上述した実施形態に限定されるものではなく、その他各種の実施形態を取り得る。
（１）本実施形態では、シートカバー６Ｓの着座側を第一ピースＰ１（一つのピース）で形成する例を説明したが、実施例２のように複数のピースで形成することもできる。このときピースの個数や形状や寸法等は、シート構成に応じて適宜変更可能である。また同様にシートカバー４Ｓを一つのピースで形成することもできる。そして第一部位と第二部位の構成（形成位置、形成数，寸法，形状等）も、シート構成に応じて変更可能である。
（２）また本実施形態では、第一糸材Ｙ１と第二糸材Ｙ２を構成糸とする例を説明した。シートカバーは、第二糸材のみで形成することもでき、この場合には、各部位の編み方又は織り方等を適宜変更することで、各部位の伸縮性に差を設けることができる。
【００２４】
（３）また本実施形態では、シートバック６とシートクッション４の構成を例示したが、これらの構成を限定する趣旨ではない。例えばシートバックとヘッドレストを別体とすることができ、またヘッドレストを省略することもできる。またシートバックとシートクッションは、シートフレームに直接シートカバーを取付ける構成（シートパッドを省略する構成）とすることができる。
（４）また本実施形態の構成は、車両や航空機や電車などの乗物用シート全般に適用できる。
【符号の説明】
【００２５】
２     乗物用シート
４     シートクッション
６     シートバック
８     ヘッドレスト
４Ｓ，６Ｓ  シートカバー
４ａ，６ａ  天板メイン部
４ｂ，６ｂ  天板サイド部
１０ａ，１０ｂ  第一部位
２０ａ〜２０ｅ  第二部位
ＣＭ   乗員
Ｐ１〜Ｐ６  ピース
Ｙ１   第一糸材
Ｙ２   第二糸材
【図１】
2015002830.tif 000003
【図２】
2015002830.tif 000004
【図３】
2015002830.tif 000005
【図４】
2015002830.tif 000006
【図５】
2015002830.tif 000007
【図６】
2015002830.tif 000008